(57)【要約】【課題】おんぶ紐の交差部分を覆う部分は十分に確保でき、よりすっきりしたデザインとなり、暑苦しさも解消するおんぶ用ワンピースを提供する。【解決手段】通常の衣服としてのワンピースドレスを兼ねるおんぶ用ワンピース１を着用する。母親は、おんぶ用ワンピース１を装着し、左右の肩紐分の後部１３とを連結することで、後身頃１１を背中に密着させ、前身頃７を下方へ垂らして準備する。この準備状態で、おんぶ紐で乳幼児をおんぶする。その後に、前身頃７でおんぶ紐の交差部分を覆い、前記左右の肩紐分の後部１３の連結を外し、通常のワンピースドレスのように左右の肩紐部５のそれぞれの前部９と後部１３とを連結する。【選択図】図１
2012017544.tif 000002
【特許請求の範囲】
【請求項１】
ノースリーブワンピースドレスの本体と、この本体に設けられた左右の肩紐部と、この肩紐部を前後に分割した前部と後部と、これら前部と後部を連結できる第１連結手段と、前記左の肩紐部の後部と前記右の肩紐分の後部とを連結できる第２連結手段と、を有することを特長とするおんぶ用ワンピース。
【請求項２】
前記本体の両脇には、袖ぐりの下縁から下方に向けて腰近辺まで切込みが形成され、この切込みを開閉する開閉手段が設けられていることを特長とする請求項１に記載のおんぶ用ワンピース。
【請求項３】
請求項１又は２に記載のおんぶ用ワンピースを装着し、前記左の肩紐部の後部と前記右の肩紐分の後部とを第２連結手段により首の前で連結する手順１と、おんぶ紐で乳幼児をおんぶする手順２と、前記おんぶ紐の交差部分を前記本体の前身頃で覆い、前記第２連結手段を外し、前記左右の肩紐部のそれぞれの前部と後部とを前記第１連結手段で連結する手順３と、を有してなるおんぶ用ワンピースの着用方法。
【請求項４】
請求項２に記載のおんぶ用ワンピースを装着し、前記左の肩紐部の後部と前記右の肩紐分の後部とを第２連結手段により首の前で連結し、前記両脇の切込みを前記開閉手段で開く手順１と、おんぶ紐で乳幼児をおんぶする手順２と、前記おんぶ紐の交差部分を前記本体の前身頃で覆い、前記第２連結手段を外し、前記左右の肩紐部のそれぞれの前部と後部とを前記第１連結手段で連結し、前記開閉手段を閉じる手順３と、を有してなるおんぶ用ワンピースの着用方法。
【発明の詳細な説明】
【技術分野】
【０００１】
この発明は、乳幼児をおんぶするためのおんぶ紐と併用するおんぶ用ワンピースの構造及びその着用方法に関する。
【背景技術】
【０００２】
母親が乳幼児をおんぶ紐を用いて背中に背負うおんぶは、昨今、見直されている。乳幼児へのスキンシップが得られ、心身の発達に好影響があることと、だっこに比べ母親の身体への負担が少ないことがあるためである。
しかし、おんぶ紐は、胸の位置でばってんに交差させて用いるために、母親の胸元が強調され、他人の視線に対する母親の心理的な抵抗がある。このため、外出の時は、おんぶ紐に代えて、だっこ紐を利用する母親が多い現象も起きている。
そして、おんぶ紐を利用した母親の胸元を隠すために、ママコート、マームケープ、あるいはママチュニックと呼ばれる衣服が販売されている。しかし、これらの衣服は、おんぶ紐及び乳幼児の上から全体をすっぽり覆うように、通常の衣服の上から重ねて着用するものであり、だぶついたデザインとなる。また、冬場以外は、暑苦しい。
【０００３】
これに対して、特許文献１では、おんぶ紐の交差部分から下だけを隠すように、エプロンの形をした布を覆って着用する。
また、特許文献２では、ワンピースドレスの前身頃の形をした布を、その左右部分を乳幼児の背後へ回し込んで覆うように、着用する。
共に、覆う部分は少なくなり、ややすっきりしたデザインとなり、暑苦しさも和らぐ。
【先行技術文献】
【特許文献】
【０００４】
【特許文献１】実登3071779
【特許文献２】特開2009-102785
【発明の概要】
【発明が解決しようとする課題】
【０００５】
しかしながら、特許文献１では、いわばエプロンを利用するものであり、通常の衣服を着た上から着用する必要があることに変わりはなく、だぶついたデザインとなる要素はぬぐえず、暑苦しさも完全には無くならない。
また、特許文献２では、いわばワンピースドレスの前身頃を利用するものであり、やはり、通常の衣服を着た上から着用する必要があることに変わりはなく、だぶついたデザインとなる要素はぬぐえず、暑苦しさも完全には無くならない。
この発明は、以上の問題点を解決するために、覆う部分は十分に確保でき、よりすっきりしたデザインとなり、暑苦しさも解消するおんぶ用ワンピースを提供することを目的とする。
【課題を解決するための手段】
【０００６】
以上の課題を解決するために、第一発明は、ノースリーブワンピースドレスの本体と、この本体に設けられた左右の肩紐部と、この肩紐部を前後に分割した前部と後部と、これら前部と後部を連結できる第１連結手段と、前記左の肩紐部の後部と前記右の肩紐分の後部とを連結できる第２連結手段と、を有することを特長とするおんぶ用ワンピースである。
【０００７】
第二発明は、さらに、前記本体の両脇には、袖ぐりの下縁から下方に向けて腰近辺まで切込みが形成され、この切込みを開閉する開閉手段が設けられていることを特長とするおんぶ用ワンピースである。
第三発明は、第一又は第二発明のおんぶ用ワンピースを装着し、前記左の肩紐部の後部と前記右の肩紐分の後部とを第２連結手段により首の前で連結する手順１と、おんぶ紐で乳幼児をおんぶする手順２と、前記おんぶ紐の交差部分を前記本体の前身頃で覆い、前記第２連結手段を外し、前記左右の肩紐部のそれぞれの前部と後部とを前記第１連結手段で連結する手順３と、を有してなるおんぶ用ワンピースの着用方法である。
【０００８】
第四発明は、第二発明のおんぶ用ワンピースを装着し、前記左の肩紐部の後部と前記右の肩紐分の後部とを第２連結手段により首の前で連結し、前記両脇の切込みを前記開閉手段で開く手順１と、おんぶ紐で乳幼児をおんぶする手順２と、前記おんぶ紐の交差部分を前記本体の前身頃で覆い、前記第２連結手段を外し、前記左右の肩紐部のそれぞれの前部と後部とを前記第１連結手段で連結し、前記開閉手段を閉じる手順３と、を有してなるおんぶ用ワンピースの着用方法である。
【発明の効果】
【０００９】
第一、第二、第三、又は第四発明によれば、通常の衣服としてのワンピースドレスを兼ねるおんぶ用ワンピースを着用することができる。
すなわち、母親は、このおんぶ用ワンピースを装着し、左右の肩紐分の後部とを連結することで、後身頃を背中に密着させ、前身頃を下方へ垂らして準備する。この準備状態で、おんぶ紐で乳幼児をおんぶする。その後に、前身頃でおんぶ紐の交差部分を覆い、前記左右の肩紐分の後部の連結を外し、通常のワンピースドレスのように左右の肩紐部のそれぞれの前部と後部とを連結する。
【００１０】
このようにして、あたかも通常のワンピースドレスのみを着用した状態になる。このため、通常の衣服を着た上から重ねて着用する必要が無くなり、すっきりしたデザインとなる。にもかかわらず、前身頃の内側におんぶ紐の交差部分が位置し、前身頃の広い面積で、交差部分が十分に覆われる。さらに、胸元の強調とは関係ないおんぶ紐の背の部分は、後身頃の外になり、よって、重ね着の必要がないことと共に、暑苦しさを解消する。
【００１１】
さらに、第二、又は第四発明によれば、開閉手段を開けることで、十分に大きな面積の前身頃を下方へ垂らすことができ、よって、おんぶ紐で乳幼児をおんぶする動作を容易にする。
【図面の簡単な説明】
【００１２】
【図１】この発明の一実施形態を示すおんぶ用ワンピースの全体図である。
【図２】図１の機能を説明する要部示すもので、（Ａ）は肩紐部の第１連結手段を外した図、（Ｂ）は左右の肩紐分の後部を第２連結手段で連結した図、（Ｃ）は両脇の開閉手段を開いた図である。
【図３】図１のおんぶ用ワンピースの着用方法を示すもので、（Ａ）（Ｂ）は左右の肩紐分の後部とを第２連結手段のより首の前で連結する手順１を示す図、（Ｃ）はおんぶ紐で乳幼児をおんぶする手順２を示す図、（Ｄ）はおんぶ紐の交差部分をワンピース本体の前身頃で覆い、第２連結手段を外し、左右の肩紐部のそれぞれの前部と後部とを第１連結手段で連結する手順３を示す図である。
【図４】図１のおんぶ用ワンピースの効果を示すために、着用後の状態を示すもので、（Ｅ）は前からの図、（Ｆ）は横からの図である。
【図５】図１のおんぶ用ワンピースの他の効果を示すためのもので、（Ａ）片方の脇の開閉手段を開いた図、（Ｂ）は（Ａ）の状態で授乳を行なっている図である。
【図６】この発明の他の実施形態を示すおんぶ用ワンピースの要部拡大図である。
【発明を実施するための形態】
【００１３】
この発明の実施形態を、図１〜図５に示す。
［構造］
図１の全体図に示すように、おんぶ用ワンピース１は、通常のノースリーブワンピースドレスと同様の本体３を有する。この本体３には左右に肩紐部５が設けられる。この肩紐部５は前後に分割される。この分割により、前身頃７には肩紐部５の前部９が連続し、後身頃１１には肩紐部５の後部１３が連続する。図１および図２（Ａ）に示すように、これら前部９と後部１３とは、第１連結手段１５であるＤカンと呼ばれると金具で連結される。また、このＤカンのすぐ下には、第２連結手段１７である面ファスナーが設けられ、左の肩紐部５の後部１３と、前記右の肩紐分の後部１３と、を連結できる（図２（Ｂ））。
【００１４】
図２（Ｃ）に示すように、本体３の両脇１９には、袖ぐりの下縁２１から下方に向けて腰近辺まで切込み２３が形成される。この切込み２３を開閉する開閉手段２５として面ファスナーが設けられる。
【００１５】
［着用方法］
図３において、おんぶ用ワンピース１の着用方法を示す。
まず、図示しないものの、母親は、通常のワンピースドレスを着用するようにして、おんぶ用ワンピース１を装着する。その後に、図３（Ａ）に示すように、左右の肩紐部５の第１連結手段１５を外す。このとき、前身頃７は前方の下方へ垂らす。さらに開閉手段２５としての面ファスナーを外し、切込み２３を開き、前身頃７を大きく垂らす。
また、左の肩紐部５の後部１３と、前記右の肩紐分の後部１３とを、第２連結手段１７により首の前で連結する。これにより、図３（Ｂ）に示すように、連結された左右の肩紐部５の後部１３は、リング状になり、首に係止し、よって、ワンピース本体の後身頃１１は母親の背中から離れず、いわば密着する。このようにして、おんぶの準備ができる。
【００１６】
その後に、図３（Ｃ）に示すように、母親は、通常のおんぶと同様に、おんぶ紐Ｓで乳幼児Ｂをおんぶする。このときに、おんぶ紐Ｓの背の部分およびおんぶされた乳幼児Ｂは、後身頃１１の外に位置する。
そして、図３（Ｄ）に示すように、ワンピース本体の前身頃７を垂れていた状態からすくい上げ、おんぶ紐Ｓの交差部分をこの前身頃７で覆う。さらに、第２連結手段１７を外す。このように外しても、おんぶ紐Ｓの背の部分およびおんぶされた乳幼児Ｂの重さで押圧されている後身頃１１及び両肩紐部５の後部１３は、その位置を保った状態となる。この状態で、左右の肩紐部５のそれぞれの前部９と後部１３とを第１連結手段１５で連結する。さらに開閉手段２５としての面ファスナーを閉じる。
【００１７】
［実施形態の効果］
以上のようにおんぶ用ワンピース１を着用した状態では、図４（Ｅ）（Ｆ）に示すように、あたかも通常のワンピースドレスのみを着用した状態になる。つまり、着用後の見た目、及び実質ともに、従来の服と変わらない。しかも、通常の衣服を着た上から重ねて着用する必要が無い。よって、だぶつかず、すっきりしたデザインとなる。
【００１８】
にもかかわらず、図４（Ｅ）に示すように、前身頃７の内側におんぶ紐Ｓの交差部分が位置し、前身頃７の広い面積で、交差部分が十分に覆われ、他人の視線から隠せる。交差部分の上部に続く一部分が、襟ぐりに表われるのみである。そして、図４（Ｆ）に示すように、胸元の強調とは関係ないおんぶ紐の背の部分は、後身頃１１の外になる。また、新陳代謝により常に発熱源となる乳幼児Ｂも、後身頃１１の外になる。これらから、暑苦しさが解消される。さらに、従来のように、重ね着の必要がないことによっても、暑苦しさを大きく解消できる。
【００１９】
また、図５に示すように、このおんぶ用ワンピース１は、他の機能・効果を有する。授乳服としての機能である。
すなわち図５（Ａ）に示すように、おんぶをしていないときに通常のワンピースとして使用している状態で、片方の肩紐部５の第１連結手段１５を外し、同じ片方の脇の開閉手段２５を開く。そうすれば、片方の乳房２６が大きく露出し、乳児へ授乳が容易に行える。
「他の実施形態」
（１）以上の実施形態では、第１連結手段１５はＤカンと呼ばれると金具であったが、他の実施形態では、面ファスナー、ホック、ボタンなど他の手段でも構わない。
（２）以上の実施形態では、第２連結手段１７は面ファスナーであったが、他の実施形態では、ホック、ボタンなど他の手段でも構わない。
【００２０】
（３）以上の実施形態では、第１連結手段１５と第２連結手段１７は別々に設けられたが、他の実施形態では、両者を兼用することもできる。例えば、図６に示すように、共に面ファスナー２７で構成することができる。すなわち、ファスナーの雄雌を、例えば左肩紐部の前部９が雄２７Ｍ、左肩紐部の後部１３が雌２７Ｆ、右肩紐部の前部９が雌２７Ｆ、右肩紐部の後部１３が雄２７Ｍ、とすれば、第１連結手段１５と第２連結手段１７を兼ねることができる。
【００２１】
（３−２）以上の実施形態では、開閉手段２５は面ファスナーであったが、他の実施形態では、ホック、ボタンなど他の手段でも構わない。
（４）以上の実施形態では、本体３の両脇１９には、切込み２３が形成され、この切込み２３を開閉する開閉手段２５が設けられているものであったが、他の実施形態では、切込み２３や開閉手段２５が無くても構わない。例えば、袖ぐりの大きなものは、切込み２３や開閉手段２５が無くても、十分に大きな面積の前身頃７を下方へ垂らすことができ、発明は機能する。
【００２２】
（５）以上の実施形態では、ワンピースドレスは、カジュアルで、ゆるやかな、丈の短めなチュニックと呼ばれるものであったが、他の実施形態では、チュニック以外の例えば通常のワンピースドレスであっても構わない。
（６）以上の実施形態では、肩紐部５の幅は数ｃｍのものであったが、他の実施形態では、より細いもの、あるいはより太いものでも構わない。
【符号の説明】
【００２３】
１…おんぶ用ワンピース、３…本体、５…肩紐部、７…前身頃、９…前部、１１…後身頃、１３…後部、１５…第１連結手段、１７…第２連結手段、１９…両脇、２１…袖ぐりの下縁、２３…切込み、２５…開閉手段、２６・・乳房、２７…面ファスナー、Ｓ・・おんぶ紐、Ｂ・・乳幼児。
【図１】
2012017544.tif 000003
【図２】
2012017544.tif 000004
【図３】
2012017544.tif 000005
【図４】
2012017544.tif 000006
【図５】
2012017544.tif 000007
【図６】
2012017544.tif 000008